(57)【要約】【課題】出力プロファイルの作成または取得の手間を軽減する。【解決手段】第１色空間における座標値と第２色空間における座標値との対応付けに関する情報を含む複数の出力プロファイルが蓄積されるデータベース部と、前記第１色空間における座標値を示す色彩値の入力を受け付ける色彩値受付部と、前記複数の出力プロファイルのそれぞれについて出力プロファイルが前記色彩値を再現可能であるか否かを判定する色再現判定部と、情報を表示する表示部と、前記色再現判定部の判定結果に基づいて、前記複数の出力プロファイルから選択される１以上の出力プロファイルに関する設定情報を前記表示部に表示させる表示制御部と、を有するプロファイル情報表示装置。【選択図】図２
2020112968.tif 000002
【特許請求の範囲】
【請求項１】
第１色空間における座標値と第２色空間における座標値との対応付けに関する情報を含む複数の出力プロファイルが蓄積されるデータベース部と、
前記第１色空間における座標値を示す色彩値の入力を受け付ける色彩値受付部と、
前記複数の出力プロファイルのそれぞれについて出力プロファイルが前記色彩値を再現可能であるか否かを判定する色再現判定部と、
情報を表示する表示部と、
前記色再現判定部の判定結果に基づいて、前記複数の出力プロファイルから選択される１以上の出力プロファイルに関する設定情報を前記表示部に表示させる表示制御部と、を有する、
プロファイル情報表示装置。
【請求項２】
画像情報の入力を受け付ける画像情報受付部と、
前記第１色空間における座標値と第３色空間における座標値との対応付けに関する情報を含む入力プロファイルの入力を受け付ける入力プロファイル受付部と、
前記入力プロファイルを用いて前記画像情報を画素ごとに前記色彩値に変換する色変換部と、を有する、
請求項１に記載のプロファイル情報表示装置。
【請求項３】
前記表示制御部は、前記画像情報の全画素数における、前記色再現判定部で再現可能と判定される画素数の割合に基づいて、前記複数の出力プロファイルから前記１以上の出力プロファイルを選択する、
請求項２に記載のプロファイル情報表示装置。
【請求項４】
前記表示制御部は、前記複数の出力プロファイルから前記１以上の出力プロファイルとして２以上の出力プロファイルを選択する、
請求項３に記載のプロファイル情報表示装置。
【請求項５】
前記表示制御部は、前記割合に関する情報を前記表示部に表示させる、
請求項３または４に記載のプロファイル情報表示装置。
【請求項６】
前記色再現判定部の判定結果に基づく出力プロファイルを外部のサーバーからダウンロードする指示を受け付けるダウンロード受付部を有する、
請求項１から５のいずれか１項に記載のプロファイル情報表示装置。
【請求項７】
出力プロファイルを作成するプログラムに前記設定情報を入力する設定情報入力部を有する、
請求項１から６のいずれか１項に記載のプロファイル情報表示装置。
【請求項８】
前記データベース部を指定する指示を受け付けるデータベース指定受付部を有する、
請求項１から７のいずれか１項に記載のプロファイル情報表示装置。
【請求項９】
第１色空間における座標値を示す色彩値の入力を受け付け、
前記第１色空間における座標値と第２色空間における座標値との対応付けに関する情報を含む複数の出力プロファイルのそれぞれについて出力プロファイルが前記色彩値を再現可能であるか否かを判定し、
前記判定の結果に基づいて、前記複数の出力プロファイルから選択される１以上の出力プロファイルに関する設定情報を表示する、
プロファイル情報表示方法。
【請求項１０】
第１色空間における座標値を示す色彩値の入力を受け付ける色彩値受付機能と、
前記第１色空間における座標値と第２色空間における座標値との対応付けに関する情報を含む複数の出力プロファイルのそれぞれについて出力プロファイルが前記色彩値を再現可能であるか否かを判定する色再現判定機能と、
前記色再現判定機能の判定結果に基づいて、前記複数の出力プロファイルから選択される１以上の出力プロファイルに関する設定情報を表示部に表示させる表示制御機能と、をコンピューターに実現させる、
プロファイル情報表示プログラム。
【発明の詳細な説明】
【技術分野】
【０００１】
本発明は、プロファイル情報表示装置、プロファイル情報表示方法およびプロファイル情報表示プログラムに関する。
【背景技術】
【０００２】
画像等の色を扱うデバイス間の色合わせを行うカラーマネージメントシステムが知られている。この色合わせには、デバイスに依存するＣＭＹＫ色空間等における座標値とデバイスに依存しないＣＩＥＬＡＢ色空間等における座標値とを対応付けるプロファイルが用いられる。プリンター等のデバイスでは、当該プロファイルとして、デバイスに依存しない色空間における座標値からデバイスに依存する色空間における座標値に変換する出力プロファイルが用いられる。
【０００３】
特許文献１に記載の画像処理システムでは、原稿データの色域が出力プロファイルの色域に含まれているか否かを評価する。含まれている場合、原稿データに基づく画像を記録媒体に形成する。一方、含まれていない場合、プロファイルの設定に整合性がないことをユーザーに通知する。
【先行技術文献】
【特許文献】
【０００４】
【特許文献１】特開２０１７−９７６００号公報
【発明の概要】
【発明が解決しようとする課題】
【０００５】
特許文献１に記載の画像処理システムでは、原稿データの色域が出力プロファイルの色域に含まれていない場合、原稿データに基づく画像を再現できないことをユーザーに知らせることしかできない。このため、特許文献１に記載の画像処理システムでは、当該画像を再現可能な出力プロファイルを作成したり取得したりすることが困難であるという課題がある。
【課題を解決するための手段】
【０００６】
本発明のプロファイル情報表示装置の一態様は、第１色空間における座標値と第２色空間における座標値との対応付けに関する情報を含む複数の出力プロファイルが蓄積されるデータベース部と、前記第１色空間における座標値を示す色彩値の入力を受け付ける色彩値受付部と、前記複数の出力プロファイルのそれぞれについて出力プロファイルが前記色彩値を再現可能であるか否かを判定する色再現判定部と、情報を表示する表示部と、前記色再現判定部の判定結果に基づいて、前記複数の出力プロファイルから選択される１以上の出力プロファイルに関する設定情報を前記表示部に表示させる表示制御部と、を有する。
【０００７】
本発明のプロファイル情報表示方法の一態様は、第１色空間における座標値を示す色彩値の入力を受け付け、前記第１色空間における座標値と第２色空間における座標値との対応付けに関する情報を含む複数の出力プロファイルのそれぞれについて出力プロファイルが前記色彩値を再現可能であるか否かを判定し、前記判定の結果に基づいて、前記複数の出力プロファイルから選択される１以上の出力プロファイルに関する設定情報を表示する。
【０００８】
本発明のプロファイル情報表示プログラムの一態様は、第１色空間における座標値を示す色彩値の入力を受け付ける色彩値受付機能と、前記第１色空間における座標値と第２色空間における座標値との対応付けに関する情報を含む複数の出力プロファイルのそれぞれについて出力プロファイルが前記色彩値を再現可能であるか否かを判定する色再現判定機能と、前記色再現判定機能の判定結果に基づいて、前記複数の出力プロファイルから選択される１以上の出力プロファイルに関する設定情報を表示部に表示させる表示制御機能と、をコンピューターに実現させる。
【図面の簡単な説明】
【０００９】
【図１】第１実施形態に係るプロファイル情報表示装置を用いるシステムの構成例を示す概略図である。
【図２】第１実施形態に係るプロファイル情報表示装置の構成を示すブロック図である。
【図３】第１実施形態に係るプロファイル情報表示プログラムの構成を示す図である。
【図４】出力プロファイルの構成例を示す図である。
【図５】第１実施形態に係るプロファイル情報表示装置の表示画像の例を示す図である。
【図６】第１実施形態に係るプロファイル情報表示装置の動作を示すフローチャートである。
【図７】第２実施形態に係るプロファイル情報表示装置の構成を示すブロック図である。
【図８】入力プロファイルの構成例を示す図である。
【図９】第２実施形態に係るプロファイル情報表示装置の表示画像の例を示す図である。
【図１０】第２実施形態に係るプロファイル情報表示装置の動作を示すフローチャートである。
【発明を実施するための形態】
【００１０】
以下、添付図面を参照しながら本発明に係る好適な実施形態を説明する。なお、図面において各部の寸法または縮尺は実際と適宜異なり、理解を容易にするために模式的に示している部分もある。また、本発明の範囲は、以下の説明において特に本発明を限定する旨の記載がない限り、これらの形態に限られない。
【００１１】
１．第１実施形態
１−１．プロファイル情報表示装置１を用いるシステム１００の概要
図１は、第１実施形態に係るプロファイル情報表示装置１を用いるシステム１００の構成例を示す概略図である。システム１００は、プリンター等の出力デバイスの色合わせに用いる出力プロファイルの作成または取得に必要な情報を表示するシステムである。図１に示す例では、システム１００は、プロファイル情報表示装置１と、プリンター２００と、サーバー３００と、を有する。プロファイル情報表示装置１は、プリンター２００およびサーバー３００に対して通信可能に接続される。なお、プリンター２００およびサーバー３００の一方または両方は、省略してもよい。
【００１２】
プロファイル情報表示装置１は、ユーザーから色に関する情報の入力を受け付け、当該色を再現可能な出力プロファイルの作成または取得に必要な情報を含む画像Ｇを表示する。ここで、プロファイル情報表示装置１は、既存の複数の出力プロファイルのそれぞれについて当該色が各出力プロファイルの色域内にあるか否かを判断する。そして、プロファイル情報表示装置１は、当該色が色域内にある１以上の出力プロファイルに関する設定情報を含む画像Ｇを表示する。このため、ユーザーは、画像Ｇに含まれる当該設定情報を手がかりとすることで、当該色を再現可能な出力プロファイルを作成したり取得したりする手間が軽減される。
【００１３】
図１に示す例では、プロファイル情報表示装置１は、インターネットを含むネットワークＮＷを介してサーバー４００−１および４００−２と通信可能である。前述の既存の複数の出力プロファイルは、プロファイル情報表示装置１、サーバー３００、サーバー４００−１または４００−２に蓄積される。
【００１４】
１−２．プロファイル情報表示装置１の構成
図２は、第１実施形態に係るプロファイル情報表示装置１の構成を示すブロック図である。図２に示すように、プロファイル情報表示装置１は、処理装置１０と、記憶装置２０と、入力装置３０と、表示装置４０と、通信装置５０と、を有する。これらは、互いに通信可能に接続される。
【００１５】
処理装置１０は、プロファイル情報表示装置１の各部を制御する機能、および各種データを処理する機能を有する装置である。処理装置１０は、例えば、ＣＰＵ（Central Processing Unit）等のプロセッサーを含んで構成される。なお、処理装置１０は、単一のプロセッサーで構成されてもよいし、複数のプロセッサーで構成されてもよい。また、処理装置８０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００１６】
記憶装置２０は、処理装置１０が実行する各種プログラム、および処理装置１０が処理する各種データを記憶する装置である。記憶装置２０は、例えば、ハードディスクドライブまたは半導体メモリーを含んで構成される。なお、記憶装置２０の一部または全部は、プロファイル情報表示装置１の外部の記憶装置、サーバー３００、４００−１または４００−２等のサーバー等に設けてもよい。
【００１７】
本実施形態の記憶装置２０には、プロファイル情報表示プログラムＰ１、プロファイル作成プログラムＰ２および複数（ｎ個）の出力プロファイルＤ１−１〜Ｄ１−ｎが記憶される。ただし、ｎは、２以上の整数である。ここで、複数の出力プロファイルＤ１−１〜Ｄ１−ｎは、データベース部２１を構成する。後に詳述するが、プロファイル情報表示プログラムＰ１は、処理装置１０で実行されることで、プロファイル情報表示装置１の各種機能を実現する。また、プロファイル作成プログラムＰ２は、処理装置１０で実行されることで、出力プロファイルを作成する機能を実現する。なお、プロファイル作成プログラムＰ２は、プロファイル情報表示プログラムＰ１に組み込まれてもよい。また、プロファイル作成プログラムＰ２は、プロファイル情報表示装置１の外部の記憶装置、サーバー３００、４００−１または４００−２等のサーバー等に記憶されてもよい。
【００１８】
後に詳述するが、複数の出力プロファイルＤ１−１〜Ｄ１−ｎのそれぞれは、プリンター２００等の出力デバイスの色特性に関する情報である。複数の出力プロファイルＤ１−１〜Ｄ１−ｎのそれぞれは、例えば、ＩＣＣ（International Color Consortium）の規定に準拠して作成される。以下では、複数の出力プロファイルＤ１−１〜Ｄ１−ｎのそれぞれを出力プロファイルＤ１ともいう。なお、データベース部２１の一部または全部は、プロファイル情報表示装置１の外部の記憶装置、サーバー３００、４００−１または４００−２等のサーバー等に記憶されてもよい。
【００１９】
入力装置３０は、ユーザーからの操作を受け付ける機器である。例えば、入力装置３０は、タッチパッド、タッチパネルまたはマウス等のポインティングデバイスを含んで構成される。ここで、入力装置３０は、タッチパネルを含んで構成される場合、表示装置４０を兼ねてもよい。
【００２０】
表示装置４０は、処理装置１０による制御のもとで各種の画像を表示する。ここで、表示装置４０は、情報を表示する表示部４１として機能する。表示装置４０は、例えば、液晶表示パネルまたは有機ＥＬ（electro-luminescence）表示パネル等の各種の表示パネルを含む表示装置である。
【００２１】
通信装置５０は、プリンター２００、サーバー３００、４００−１または４００−２等の外部装置に通信可能に接続されるインターフェイスである。例えば、通信装置５０は、ＵＳＢ（Universal Serial Bus）およびＬＡＮ（Local Area Network）等のインターフェイスを含んで構成される。なお、通信装置５０は、例えば、Ｗｉ−ＦｉまたはＢｌｕｅｔｏｏｔｈ等により外部装置に無線接続されてもよいし、ＬＡＮ（Local Area Network）またはインターネット等を介して外部装置に接続されてもよい。なお、ＨＤＭＩ、Ｗｉ−ＦｉおよびＢｌｕｅｔｏｏｔｈは、それぞれ、登録商標である。
【００２２】
以上の構成のプロファイル情報表示装置１において、処理装置１０は、記憶装置２０からプロファイル情報表示プログラムＰ１を読み込んで実行する。この実行により、処理装置１０は、色彩値受付部１１、色再現判定部１２、表示制御部１３、データベース指定受付部１４、ダウンロード受付部１５および設定情報入力部１６として機能する。
【００２３】
図３は、第１実施形態に係るプロファイル情報表示プログラムＰ１の構成を示す図である。プロファイル情報表示プログラムＰ１は、色彩値受付機能ＦＵ１と、色再現判定機能ＦＵ２と、表示制御機能ＦＵ３と、データベース指定受付機能ＦＵ４と、ダウンロード受付機能ＦＵ５と、設定情報入力機能ＦＵ６と、をコンピューターに実現させる。
【００２４】
図３に示す色彩値受付機能ＦＵ１または図２に示す色彩値受付部１１は、色彩値Ｔ０の入力を受け付ける。当該入力は、後述する画像Ｇの色彩値入力領域ＦＩ１を用いて行われる。色彩値Ｔ０は、デバイスに依存しないＣＩＥＬＡＢまたはＸＹＺ等の色空間における座標値を示す。本実施形態では、色彩値Ｔ０がＣＩＥＬＡＢ色空間の座標値を示す場合が例示される。なお、本明細書では、ＣＩＥＬＡＢ色空間に用いられる「Ｌ＊」、「ａ＊」および「ｂ＊」における「＊」の各記載を省略する。
【００２５】
図４は、出力プロファイルＤ１の構成例を示す図である。図４に示すように、出力プロファイルＤ１は、情報ＴＢＬ１、ＴＢＬ２および設定情報ＤＳを含む。情報ＴＢＬ１およびＴＢＬ２は、それぞれ、ＣＩＥＬＡＢ色空間である第１色空間ＣＳ１の座標値（Ｌｉ，ａｉ，ｂｉ）とＣＭＹＫ色空間である第２色空間ＣＳ２の座標値（Ｃｉ，Ｍｉ，Ｙｉ，Ｋｉ）との対応付けに関する情報である。より具体的には、情報ＴＢＬ１は、第２色空間ＣＳ２の座標値（Ｃｉ，Ｍｉ，Ｙｉ，Ｋｉ）から第１色空間ＣＳ１の座標値（Ｌｉ，ａｉ，ｂｉ）に変換するＡ２Ｂテーブルである。情報ＴＢＬ２は、第１色空間ＣＳ１の座標値（Ｌｉ，ａｉ，ｂｉ）から第２色空間ＣＳ２の座標値（Ｃｉ，Ｍｉ，Ｙｉ，Ｋｉ）に変換するＢ２Ａテーブルである。ここで、前述のように、本実施形態では、色彩値Ｔ０は、ＣＩＥＬＡＢ色空間の座標値を示すことから、第１色空間ＣＳ１における座標値を示すといえる。第１色空間ＣＳ１は、例えば、デバイスに依存しない色空間、いわゆるプロファイル接続空間（ＰＣＳ）である。第２色空間ＣＳ２は、例えば、デバイスに依存する色空間である。なお、第１色空間ＣＳ１は、デバイスに依存しない色空間であればよく、ＣＩＥＬＡＢ色空間に限定されず、例えば、ＸＹＺ色空間でもよい。また、第２色空間ＣＳ２は、出力デバイスが利用可能な色空間であればよく、ＣＭＹＫ色空間に限定されず、例えば、出力デバイス独自の色空間でもよい。
【００２６】
設定情報ＤＳは、出力プロファイルＤ１の作成時の設定に関する情報である。図４では、出力プロファイルＤ１を用いる出力デバイスがインクジェットプリンターである場合が例示される。図４に示す例では、設定情報ＤＳは、機種情報ＤＳ１、紙種情報ＤＳ２、印刷モード情報ＤＳ３およびインク打ち込み量情報ＤＳ４を含む。これらの情報は、例えば、ＩＣＣプロファイルのヘッダー等に含まれる。機種情報ＤＳ１は、インクジェットプリンターのメーカー、機種およびインクセットに関する情報である。紙種情報ＤＳ２は、インクジェットプリンターが印刷する記録媒体の種類に関する情報である。当該印刷モード情報ＤＳ３は、インクジェットプリンターの印刷モードに関する情報である。インク打ち込み量情報ＤＳ４は、インクジェットプリンターのインク打ち込み量に関する情報である。なお、設定情報ＤＳは、出力プロファイルＤ１とは別のファイルで管理されてもよい。この場合、処理装置１０は、出力プロファイルＤ１だけでなく、設定情報ＤＳを含むファイルを適宜読み込んで用いる。
【００２７】
図３に示す色再現判定機能ＦＵ２または図２に示す色再現判定部１２は、複数の出力プロファイルＤ１−１〜Ｄ１−ｎのそれぞれについて出力プロファイルＤ１が色彩値Ｔ０を再現可能であるか否かを判定する。当該判定は、例えば、複数の出力プロファイルＤ１−１〜Ｄ１−ｎのそれぞれの情報ＴＢＬ１において第２色空間ＣＳ２に対応して第１色空間ＣＳ１に設定されるサブ空間内に色彩値Ｔ０が入るか否かにより行う。ここで、当該サブ空間は、例えば、各格子点を頂点とする立方体を基に、四面体補間を用いて設定される空間である。なお、色彩値Ｔ０が色再現領域の内か外かを判定するためのテーブルをタグとして出力プロファイルＤ１に格納しておき、当該タグを用いて、前述の判定を行ってもよい。
【００２８】
図３に示す表示制御機能ＦＵ３または図２に示す表示制御部１３は、色再現判定機能ＦＵ２または色再現判定部１２の判定結果に基づいて、複数の出力プロファイルＤ１から選択される１以上の出力プロファイルＤ１に関する設定情報ＤＳを表示部４１に表示させる。本実施形態の表示制御部１３は、色彩値Ｔ０を再現可能と判定される１以上の出力プロファイルＤ１に関する設定情報ＤＳを表示部４１に表示させる。
【００２９】
図５は、第１実施形態に係るプロファイル情報表示装置１の表示画像の例を示す図である。プロファイル情報表示装置１の表示制御部１３は、図５に示すように、表示部４１に画像Ｇを表示させる。画像Ｇは、入力装置３０を用いてユーザーからの操作を受け付け可能な画像である。画像Ｇは、ボタンＢ１、Ｂ２、Ｂ３、Ｂ４、Ｂ５、Ｂ６およびＢ７と、色彩値入力領域ＦＩ１と、データベース指定入力領域ＦＩ２と、判定結果表示領域ＦＩ３と、を含む。
【００３０】
色彩値入力領域ＦＩ１は、色彩値受付部１１が受け付ける色彩値Ｔ０を入力する領域である。図５に示す例では、色彩値入力領域ＦＩ１は、色彩値Ｔ０を入力可能な複数の欄を有する。当該欄には、識別のためのＩＤ番号が付される。当該欄およびＩＤ番号は、ボタンＢ１への操作により追加可能である。また、当該欄およびＩＤ番号は、ボタンＢ２への操作により削除可能である。また、当該欄への色彩値Ｔ０の入力は、ボタンＢ３への操作により現れるカラーパレットを用いて行うこともできる。当該カラーパレットは、例えば、ＣＩＥＬＡＢ色空間の座標値等の色彩値に対応付けられる複数の項目を含む。
【００３１】
データベース指定入力領域ＦＩ２は、色再現判定部１２の判定に用いる複数の出力プロファイルＤ１−１〜Ｄ１−ｎが格納されるフォルダまたはサーバーのＵＲＬ等を入力する領域である。当該入力は、ボタンＢ４への操作により現れるウインドウを用いて行うこともできる。
【００３２】
判定結果表示領域ＦＩ３は、色再現判定部１２の判定結果に基づく設定情報ＤＳを表示する領域である。当該表示は、前述の色彩値入力領域ＦＩ１およびデータベース指定入力領域ＦＩ２への入力後に、ボタンＢ５への操作により行われる。ボタンＢ５が操作されると、色再現判定部１２での判定が行われ、表示制御部１３による設定情報ＤＳの表示が行われる。図５に示す例では、判定結果表示領域ＦＩ３は、複数の設定情報ＤＳを表示する。判定結果表示領域ＦＩ３に表示される複数の設定情報ＤＳには、前述の機種情報ＤＳ１、紙種情報ＤＳ２、印刷モード情報ＤＳ３およびインク打ち込み量情報ＤＳ４が含まれる。また、判定結果表示領域ＦＩ３では、表示される複数の設定情報ＤＳのうちの１の設定情報ＤＳを選択することが可能である。当該１の設定情報ＤＳは、ボタンＢ６への操作により、プロファイル作成プログラムＰ２へ入力可能である。また、当該選択後、ボタンＢ７への操作により、当該１の設定情報ＤＳに関する出力プロファイルを外部のサーバー３００、４００−１または４００−２からダウンロード可能である。
【００３３】
図３に示すデータベース指定受付機能ＦＵ４または図２に示すデータベース指定受付部１４は、データベース部２１を指定する指示を受け付ける。当該指示は、前述のデータベース指定入力領域ＦＩ２への入力により行われる。
【００３４】
図３に示すダウンロード受付機能ＦＵ５または図２に示すダウンロード受付部１５は、色再現判定部１２の判定結果に基づく出力プロファイルＤ１を外部のサーバー３００、４００−１または４００−２からダウンロードする指示を受け付ける。当該指示は、前述のボタンＢ７への操作により行われる。
【００３５】
図３に示す設定情報入力機能ＦＵ６または図２に示す設定情報入力部１６は、プロファイル作成プログラムＰ２に設定情報ＤＳを入力する。当該入力は、前述のボタンＢ６への操作により行われる。
【００３６】
１−３．プロファイル情報表示装置１の動作
図６は、第１実施形態に係るプロファイル情報表示装置１の動作を示すフローチャートである。プロファイル情報表示装置１では、まず、ステップＳ１０１において、データベース指定受付部１４がデータベース部２１を指定する指示を受け付ける。次に、ステップＳ１０２において、色彩値受付部１１が第１色空間ＣＳ１における座標値を示す色彩値Ｔ０の入力を受け付ける。その後、ステップＳ１０３において、色再現判定部１２が複数の出力プロファイルＤ１−１〜Ｄ１−ｎのそれぞれについて出力プロファイルＤ１が色彩値Ｔ０を再現可能であるか否かを判定する。そして、ステップＳ１０４において、色再現判定部１２の判定結果に基づいて、複数の出力プロファイルＤ１−１〜Ｄ１−ｎから選択される１以上の出力プロファイルＤ１に関する設定情報ＤＳを表示部４１に表示させる。以上のように、プロファイル情報表示装置１は、ステップＳ１０１〜Ｓ１０４を含むプロファイル情報表示方法を実行する。
【００３７】
以上のプロファイル情報表示装置１は、前述のように、データベース部２１と、色彩値受付部１１と、色再現判定部１２と、表示部４１と、表示制御部１３と、を有する。データベース部２１は、第１色空間ＣＳ１における座標値と第２色空間ＣＳ２における座標値との対応付けに関する情報ＴＢＬ２を含む複数の出力プロファイルＤ１−１〜Ｄ１−ｎが蓄積される。色彩値受付部１１は、第１色空間ＣＳ１における座標値を示す色彩値Ｔ０の入力を受け付ける。色再現判定部１２は、複数の出力プロファイルＤ１−１〜Ｄ１−ｎのそれぞれについて出力プロファイルＤ１が色彩値Ｔ０を再現可能であるか否かを判定する。表示部４１は、情報を表示する。表示制御部１３は、色再現判定部１２の判定結果に基づいて、複数の出力プロファイルＤ１−１〜Ｄ１−ｎから選択される１以上の出力プロファイルＤ１に関する設定情報ＤＳを表示部４１に表示させる。
【００３８】
以上のプロファイル情報表示装置１では、１以上の出力プロファイルＤ１に関する設定情報ＤＳが表示される。表示される設定情報ＤＳは、入力される色彩値Ｔ０を再現可能か否かの判定結果に基づいて選択される出力プロファイルに関する。ここで、表示される設定情報ＤＳは、入力される色彩値Ｔ０を再現可能な出力プロファイルの作成または取得に必要な条件を示す情報であるといえる。このため、ユーザーは、当該設定情報ＤＳを手がかりとして、色彩値Ｔ０を再現可能な出力プロファイルを作成したり取得したりすることができる。したがって、当該設定情報ＤＳを用いない場合に比べて、色彩値Ｔ０を再現可能な出力プロファイルを作成したり取得したりする手間を軽減することができる。
【００３９】
本実施形態のプロファイル情報表示装置１は、データベース部２１を指定する指示を受け付けるデータベース指定受付部１４を有する。このため、利用可能な出力プロファイルＤ１の数を増やすことができる。この結果、表示される設定情報ＤＳについて色彩値Ｔ０の再現性に関する信頼性を高めることができる。
【００４０】
また、プロファイル情報表示装置１は、色再現判定部１２の判定結果に基づく出力プロファイルＤ１を外部のサーバー３００、４００−１または４００−２からダウンロードする指示を受け付けるダウンロード受付部１５を有する。このため、色彩値Ｔ０を再現可能な出力プロファイルを作成しなくても、色彩値Ｔ０を再現可能な出力プロファイルを取得することができる。この結果、色彩値Ｔ０を再現可能な出力プロファイルを作成する場合に比べて、ユーザーの負担が軽減される。
【００４１】
また、プロファイル情報表示装置１は、出力プロファイルを作成するプログラムであるプロファイル作成プログラムＰ２に設定情報ＤＳを入力する設定情報入力部１６を有する。このため、ユーザーの環境下で、表示される設定情報ＤＳに基づいて、色彩値Ｔ０を再現可能な出力プロファイルを作成して取得することができる。また、設定情報入力部１６を用いない場合に比べて、色彩値Ｔ０を再現可能な出力プロファイルをプロファイル作成プログラムＰ２により作成する際のユーザーの負担が軽減される。
【００４２】
２．第２実施形態
次に、第２実施形態について説明する。本実施形態は、画像情報に基づく色を再現可能な出力プロファイルの作成または取得に必要な情報を表示する以外は、前述の第１実施形態と同様である。なお、以下の説明では、第２実施形態に関し、前述の第１実施形態との相違点を中心に説明し、同様の事項についてはその説明を省略する。また、第２実施形態に説明に用いる各図では、前述の第１実施形態と同様の構成については、同一符号を付している。
【００４３】
図７は、第２実施形態に係るプロファイル情報表示装置１Ａの構成を示すブロック図である。プロファイル情報表示装置１Ａは、処理装置１０Ａと、記憶装置２０Ａと、入力装置３０と、表示装置４０と、通信装置５０と、を有する。
【００４４】
本実施形態の記憶装置２０Ａには、前述の第１実施形態の記憶装置２０に記憶される情報のほか、画像情報Ｄ３および入力プロファイルＤ４が記憶される。画像情報Ｄ３は、例えば、ＪＰＥＧまたはＴＩＦＦ等の画像に関する情報である。なお、画像情報Ｄ３および入力プロファイルＤ４は、プロファイル情報表示装置１Ａの外部の記憶装置、サーバー３００、４００−１または４００−２等のサーバー等に記憶されてもよい。
【００４５】
図８は、入力プロファイルＤ４の構成例を示す図である。図８に示すように、入力プロファイルＤ４は、情報ＴＢＬ３およびＴＢＬ４を含む。情報ＴＢＬ３およびＴＢＬ４は、それぞれ、ＣＩＥＬＡＢ色空間である第１色空間ＣＳ１の座標値（Ｌｉ，ａｉ，ｂｉ）とＣＭＹＫ色空間である第３色空間ＣＳ３の座標値（Ｃｉ，Ｍｉ，Ｙｉ，Ｋｉ）との対応付けに関する情報である。より具体的には、情報ＴＢＬ３は、第３色空間ＣＳ３の座標値（Ｃｉ，Ｍｉ，Ｙｉ，Ｋｉ）から第１色空間ＣＳ１の座標値（Ｌｉ，ａｉ，ｂｉ）に変換するＡ２Ｂテーブルである。情報ＴＢＬ４は、第１色空間ＣＳ１の座標値（Ｌｉ，ａｉ，ｂｉ）から第３色空間ＣＳ３の座標値（Ｃｉ，Ｍｉ，Ｙｉ，Ｋｉ）に変換するＢ２Ａテーブルである。ここで、第３色空間ＣＳ３は、例えば、デバイスに依存する色空間である。なお、第３色空間ＣＳ３は、入力デバイスが利用可能な色空間であればよく、ＣＭＹＫ色空間に限定されず、例えば、入力デバイス独自の色空間でもよい。
【００４６】
また、記憶装置２０Ａには、前述のプロファイル情報表示プログラムＰ１に代えて、プロファイル情報表示プログラムＰ１Ａが記憶される。プロファイル情報表示装置１Ａにおいて、処理装置１０Ａは、記憶装置２０Ａからプロファイル情報表示プログラムＰ１Ａを読み込んで実行する。この実行により、処理装置１０Ａは、色彩値受付部１１、色再現判定部１２、表示制御部１３Ａ、データベース指定受付部１４、ダウンロード受付部１５、設定情報入力部１６、画像情報受付部１７、入力プロファイル受付部１８および色変換部１９として機能する。
【００４７】
画像情報受付部１７は、画像情報Ｄ３の入力を受け付ける。一方、入力プロファイル受付部１８は、第１色空間ＣＳ１における座標値と第３色空間ＣＳ３における座標値との対応付けに関する情報を含む入力プロファイルＤ４の入力を受け付ける。そして、色変換部１９は、入力プロファイルＤ４を用いて画像情報Ｄ３を画素ごとに色彩値Ｔ０に変換する。変換後の色彩値Ｔ０は、前述の第１実施形態と同様、色再現判定部１２での判定に用いられる。そして、表示制御部１３Ａは、色再現判定部１２の判定結果に基づいて、複数の出力プロファイルＤ１−１〜Ｄ１−ｎから選択される１以上の出力プロファイルＤ１に関する設定情報ＤＳを表示部４１に表示させる。本実施形態の表示制御部１３Ａは、色再現判定部１２の判定結果に基づく色再現の割合が所定以上となる１以上の出力プロファイルＤ１に関する設定情報ＤＳを表示部４１に表示させる。当該割合は、画像情報Ｄ３の全画素数における、色再現判定部１２で再現可能と判定される画素数の割合である。ここで、例えば、当該割合が８０％以上であるか否かを基準とし、当該割合が８０％以上である１以上の出力プロファイルＤ１に関する設定情報ＤＳが表示される。当該基準は、固定でも可変でもよい。
【００４８】
図９は、第２実施形態に係るプロファイル情報表示装置１Ａの表示画像の例を示す図である。図９に示すように、プロファイル情報表示装置１Ａの表示制御部１３Ａは、表示部４１に画像ＧＡを表示させる。画像ＧＡは、入力装置３０を用いてユーザーからの操作を受け付け可能な画像である。画像ＧＡは、前述の第１実施形態の判定結果表示領域ＦＩ３に代えて、判定結果表示領域ＦＩ３Ａを含む。また、画像ＧＡは、前述の第１実施形態の画像Ｇの表示内容に加えて、ボタンＢ８およびＢ９と、画像情報入力領域ＦＩ４と、入力プロファイル入力領域ＦＩ５と、を含む。
【００４９】
画像情報入力領域ＦＩ４は、画像情報受付部１７が受け付ける画像情報Ｄ３が格納されるフォルダまたはサーバーのＵＲＬ等を入力する領域である。当該入力は、ボタンＢ８への操作により現れるウインドウを用いて行うこともできる。
【００５０】
入力プロファイル入力領域ＦＩ５は、入力プロファイル受付部１８が受け付ける入力プロファイルＤ４が格納されるフォルダまたはサーバーのＵＲＬ等を入力する領域である。当該入力は、ボタンＢ９への操作により現れるウインドウを用いて行うこともできる。
【００５１】
判定結果表示領域ＦＩ３Ａは、色再現判定部１２の判定結果に基づく設定情報ＤＳを表示する領域である。判定結果表示領域ＦＩ３Ａは、前述の判定結果表示領域ＦＩ３Ａの表示内容に加えて、画像情報Ｄ３の全画素数における、色再現判定部１２で再現可能と判定される画素数の割合に関する情報Ｄ５が含まれる。すなわち、本実施形態の表示制御部１３Ａは、設定情報ＤＳに加えて、当該割合に関する情報Ｄ５を表示部４１に表示させる。また、表示される設定情報ＤＳの数が複数である場合、例えば、複数の設定情報ＤＳが当該割合順に並べて表示される。
【００５２】
図１０は、第２実施形態に係るプロファイル情報表示装置１Ａの動作を示すフローチャートである。プロファイル情報表示装置１Ａでは、まず、ステップＳ１０１において、データベース指定受付部１４がデータベース部２１を指定する指示を受け付ける。次に、ステップＳ２０１において、画像情報受付部１７が画像情報Ｄ３の入力を受け付ける。その後、ステップＳ２０２において、入力プロファイル受付部１８が入力プロファイルＤ４の入力を受け付ける。その後、ステップＳ２０３において、色変換部１９が入力プロファイルＤ４を用いて画像情報Ｄ３を画素ごとに色彩値Ｔ０に変換する。そして、前述の第１実施形態と同様にステップＳ１０３の実行後、ステップＳ２０４において、色再現判定部１２の判定結果に基づいて、設定情報ＤＳおよび情報Ｄ５を表示部４１に表示させる。なお、ステップＳ１０１、Ｓ２０１およびＳ２０２の順は、図１０に示す順に限定されず、任意である。
【００５３】
以上のプロファイル情報表示装置１Ａは、前述のように、画像情報受付部１７と、入力プロファイル受付部１８と、色変換部１９と、を有する。ここで、画像情報受付部１７は、画像情報Ｄ３の入力を受け付ける。一方、入力プロファイル受付部１８は、第１色空間ＣＳ１における座標値と第３色空間ＣＳ３における座標値との対応付けに関する情報を含む入力プロファイルＤ４の入力を受け付ける。そして、色変換部１９は、入力プロファイルＤ４を用いて画像情報Ｄ３を画素ごとに色彩値Ｔ０に変換する。このため、色再現判定部１２は、出力プロファイルＤ１が画像情報Ｄ３を画素ごとに再現可能か否かを判定する。この結果、画像情報Ｄ３を再現可能な出力プロファイルの作成または取得に必要な条件を示す情報として設定情報ＤＳを表示することができる。したがって、ユーザーが当該設定情報ＤＳを手がかりとして、画像情報Ｄ３を再現可能な出力プロファイルを作成したり取得したりすることができる。
【００５４】
本実施形態の表示制御部１３Ａは、画像情報Ｄ３の全画素数における、色再現判定部１２で再現可能と判定される画素数の割合に基づいて、複数の出力プロファイルＤ１−１〜Ｄ１−ｎから１以上の出力プロファイルを選択する。このため、当該割合が１００％となる出力プロファイルＤ１が存在しない場合においても、当該割合が所定以上となる出力プロファイルＤ１に関する設定情報ＤＳを表示することができる。したがって、当該割合が１００％となる出力プロファイルＤ１に関する設定情報ＤＳのみを表示する場合に比べて、画像情報Ｄ３を再現可能な出力プロファイルの作成または取得の可能性を高めることができる。
【００５５】
また、表示制御部１３Ａは、複数の出力プロファイルＤ１−１〜Ｄ１−ｎから２以上の出力プロファイルＤ１を選択する。このため、２以上の設定情報ＤＳを表示することができる。この表示には、表示される設定情報ＤＳの数が１つである場合に比べて、ユーザーによる設定情報ＤＳの選択の幅が広がるという利点がある。
【００５６】
さらに、表示制御部１３Ａは、前述の割合に関する情報Ｄ５を表示部４１に表示させる。このため、表示される設定情報ＤＳについて色彩値Ｔ０の再現性に関する信頼性を示す指標として情報Ｄ５を用いることができる。この結果、ユーザーが要求する範囲内の出力プロファイルが得られやすい。
【００５７】
３．変形例
以上、本発明のプロファイル情報表示装置、プロファイル情報表示方法およびプロファイル情報表示プログラムについて図示の実施形態に基づいて説明したが、本発明は、これらに限定されない。また、本発明の各部の構成は、前述した実施形態の同様の機能を発揮する任意の構成に置換することができ、また、任意の構成を付加することもできる。また、本発明は、前述した各実施形態の任意の構成同士を組み合わせるようにしてもよい。
【００５８】
前述の実施形態では、色再現判定部１２の判定結果のみを用いて複数の出力プロファイルＤ１−１〜Ｄ１−ｎから１以上の出力プロファイルＤ１を選択する構成が例示されるが、当該構成に限定されない。例えば、プロファイル情報表示装置１への入力情報を機械学習等により学習しておき、色再現判定部１２の判定結果に加えて、その学習情報を用いて、複数の出力プロファイルＤ１−１〜Ｄ１−ｎから１以上の出力プロファイルＤ１を選択してもよい。当該機械学習に用いる入力情報としては、例えば、機種情報ＤＳ１、紙種情報ＤＳ２、印刷モード情報ＤＳ３およびインク打ち込み量情報ＤＳ４等が挙げられる。
【００５９】
また、前述の実施形態では、パーソナルコンピューター等のコンピューターにプロファイル情報表示プログラムをインストールする構成が例示されるが、当該構成に限定されない。例えば、プロファイル情報表示プログラムは、プリンター等の出力デバイス、タブレット端末またはスマートフォン等の携帯機器にインストールされてもよい。
【符号の説明】
【００６０】
１…プロファイル情報表示装置、１Ａ…プロファイル情報表示装置、１１…色彩値受付部、１２…色再現判定部、１３…表示制御部、１３Ａ…表示制御部、１４…データベース指定受付部、１５…ダウンロード受付部、１６…設定情報入力部、１７…画像情報受付部、１８…入力プロファイル受付部、１９…色変換部、２１…データベース部、４１…表示部、ＣＳ１…第１色空間、ＣＳ２…第２色空間、ＣＳ３…第３色空間、Ｄ１…出力プロファイル、Ｄ３…画像情報、Ｄ４…入力プロファイル、ＤＳ…設定情報、ＦＵ１…色彩値受付機能、ＦＵ２…色再現判定機能、ＦＵ３…表示制御機能、Ｐ１…プロファイル情報表示プログラム、Ｐ１Ａ…プロファイル情報表示プログラム、Ｐ２…プロファイル作成プログラム、Ｔ０…色彩値。
【図１】
2020112968.tif 000003
【図２】
2020112968.tif 000004
【図３】
2020112968.tif 000005
【図４】
2020112968.tif 000006
【図５】
2020112968.tif 000007
【図６】
2020112968.tif 000008
【図７】
2020112968.tif 000009
【図８】
2020112968.tif 000010
【図９】
2020112968.tif 000011
【図１０】
2020112968.tif 000012